(57)【特許請求の範囲】
【請求項１】
引き出しまたは扉の前板の端辺に取り付けられるライン取手であって、
キャップ部材とベース部材とを含み、
前記キャップ部材は、前板の端面を覆う端面カバー部と、前記端面カバー部から前板の後ろ側に沿って延びる後垂部と、後垂部の反対側に突出する凸部とを有し、
前記ベース部材は、前板の後ろ側に固定される前板取付部と、前記前板取付部から前板の外側に延びる取手部と、前記前板取付部の前板側に設けられ前記キャップ部材の後垂部と凸部が収容されるポケット部とを有し、
前記ポケット部の内部に前記後垂部と凸部を挿入することにより、前記ベース部材とキャップ部材とが一体化されていることを特徴とするライン取手。
【請求項２】
前記後垂部と凸部を前記ポケット部にスライドして挿入することにより、前記ベース部材とキャップ部材とが一体化していることを特徴とする請求項１に記載のライン取手。
【請求項３】
前記後垂部と凸部を前記ポケット部に圧入することにより、前記ベース部材とキャップ部材とが一体化していることを特徴とする請求項１に記載のライン取手。
【請求項４】
前記後垂部と凸部を前記ポケット部の縁を変形させて該後垂部と凸部をかしめることを特徴とする請求項１または３のいずれかに記載のライン取手。
【請求項５】
前記キャップ部材の後垂部の先端には、前記ベース部材に向かうほど長くなる傾斜面が形成されていることを特徴とする請求項１から４のいずれか１項に記載のライン取手。
【請求項６】
前記ベース部材のポケット部の取手部側には、前記キャップ部材の端面カバー部に沿って突出したテラス部が形成されていることを特徴とする請求項１から５のいずれか１項に記載のライン取手。
【請求項７】
前記ベース部材および前記キャップ部材はアルミニウムまたはアルミニウム合金であって、それぞれ異なる色に着色されていることを特徴とする請求項１から６のいずれかに記載のライン取手。
【請求項８】
前記ベース部材はアルミニウムまたはアルミニウム合金からなり、前記キャップ部材は樹脂からなることを特徴とする請求項１から６のいずれかに記載のライン取手。
【発明の詳細な説明】
【技術分野】
【０００１】
本発明は、引き出しまたは扉の前板の端辺に取り付けられるライン取手に関するものである。
【背景技術】
【０００２】
引出や開き戸の収納庫の前板には種々の取手が設けられるが、その中に前板の端辺に沿って直線状に延びるライン取手（引手とも称される）がある。ライン取手は、収納庫の前面に突出せず、また収納庫の幅方向に線が形成されて意匠上のアクセントにもなるため好まれている。ライン取手としては、例えば特許文献１のように指をかけられるように折り返した形状の長尺の部材が広く知られている。
【先行技術文献】
【特許文献】
【０００３】
【特許文献１】特開２００８−１０４５５４号公報
【発明の概要】
【発明が解決しようとする課題】
【０００４】
収納庫において前面に配置される前板（収納庫用前板）は、使用者にもっとも観察される部材であるため収納庫の美観に最も大きな影響を及ぼす。特に、前板において取手が必要以上に目立ってしまったり、前板との統一感がなかったりすると、収納庫全体の美観が損なわれ、使用者が違和感を覚えてしまう。このため、ライン取手等、収納庫用前板に設けられる取手では、機能性はもちろんのことデザイン性も重要視される。
【０００５】
ライン取手のデザイン性を高める方法としては、ライン取手の色を前板に合わせて着色することが考えられる。しかしライン取手全体を前板と同じ色にしてしまうと、ライン取手の視認性が低下してしまう。すると使用時にライン取手の位置がわかりにくかったり、意匠上のアクセントが失われてしまったりするおそれがある。
【０００６】
次に、ライン取手の一部分、特に前板の端面を覆う部分を、前板と同じ色に着色することが考えられる。しかしライン取手は一般にアルミニウム合金を押出成形して製造される。アルミニウムの着色はアルマイト処理によって施されるが、アルマイト処理は強い酸に浸ける処理であるため、部分的にアルマイト処理を施すことは難しい。
【０００７】
さらに、ライン取手の一部分、特に前板の端面を覆う部分を、色や材質を前板に合わせたものにすることが考えられる。しかしながら、複数の部材を組み合わせる場合には、収納庫を引き出した際に複数の部材が外れてしまわないよう、高い結合強度が求められる。これらのことから、現状では特許文献１のようにライン取手は単一の部材によって構成されていて、全体的に金属色となっていることが一般的であった。
【０００８】
本発明は、このような課題に鑑み、複数の部材を堅固に結合することができ、高いデザイン性を得ることが可能なライン取手を提供することを目的とする。
【課題を解決するための手段】
【０００９】
上記課題を解決するために、本発明にかかるライン取手の代表的な構成は、引き出しまたは扉の前板の端辺に取り付けられるライン取手であって、キャップ部材とベース部材とを含み、キャップ部材は、前板の端面を覆う端面カバー部と、端面カバー部から前板の後ろ側に沿って延びる後垂部と、後垂部の反対側に突出する凸部とを有し、ベース部材は、前板の後ろ側に固定される前板取付部と、前板取付部から前板の外側に延びる取手部と、前板取付部の前板側に設けられキャップ部材の後垂部と凸部が収容されるポケット部とを有し、ポケット部の内部に後垂部と凸部を挿入することにより、ベース部材とキャップ部材とが一体化されていることを特徴とする。
【００１０】
上記構成によれば、キャップ部材の後垂部および凸部をベース部材のポケット部に挿入することにより、キャップ部材とベース部材とを堅固に結合し、それらを一体化することができる。そして、かかるキャップ部材およびベース部材に色や材質が異なる材料を用いることにより、ライン取手のデザイン性を高め、ライン取手ひいては収納庫の美観の向上を図ることが可能となる。
【００１１】
上記ベース部材とキャップ部材とを一体化する手段としては、後垂部と凸部をポケット部にスライドして挿入する、後垂部と凸部をポケット部に圧入する等の方法を例示することができる。
【００１２】
上記後垂部と凸部を前記ポケット部の縁を変形させて後垂部と凸部をかしめるとよい。これにより、上述したように一体化したベース部材とキャップ部材との結合強度を更に高めることができる。
【００１３】
上記キャップ部材の後垂部の先端には、ベース部材に向かうほど長くなる傾斜面が形成されているとよい。これにより、後垂部および凸部をポケット部に嵌め込んだ際に傾斜面が抜け止めとして機能する。したがって、後垂部および凸部のポケット部からの外れ（脱落）を防ぎ、結合強度をより高めることが可能となる。
【００１４】
上記ベース部材のポケット部の取手部側には、キャップ部材の端面カバー部に沿って突出したテラス部が形成されているとよい。使用者がライン取手を前方に引っ張る際には、取手部が形成されているベース部材には前方に傾く力がかかる。これに対し、キャップ部材は前板に当接していて動かない状態であるため、かかるキャップ部材には、ベース部材との結合部分を中心とした回転モーメントが繰り返しかけられる。そこで上記構成のようにテラス部を設けることにより、回転モーメントをテラス部で受けることができるため、結合部分の変形や脱落を好適に防止することが可能となる。
【００１５】
上記ベース部材およびキャップ部材はアルミニウムまたはアルミニウム合金であって、それぞれ異なる色に着色されているとよい。アルミニウムやアルミニウム合金は押出成形しやすいため、押出成形によって製造されるライン取手の材料として好適に用いることができる。
【００１６】
上記ベース部材はアルミニウムまたはアルミニウム合金からなり、キャップ部材は樹脂からなるとよい。上述したように、本発明では、複数の部材を結合（一体化）してライン取手を構成することができる。したがって、ベース部材およびキャップ部材に異なる材料を用いることができ、ライン取手のデザイン性の向上を図ることが可能となる。
【００１７】
一方、アルミニウムの着色は主としてアルマイト加工を行うが、部分的にアルマイト加工を行うことは難しいため、１つのアルミニウム部材を複数の着色することが困難である。しかしながら、上記構成によれば、ベース部材とキャップ部材は別部品であるため、それぞれ異なる色に着色することができる。したがって、例えば引き出しに複数色のラインアップがあるとき、キャップ部材は前板の色と合わせ、ベース部材はラインアップ共通の色とすることにより、金属感の低減を図るとともに、複数のモデル間の意匠上の統一感をもたせることが可能となる。
【発明の効果】
【００１８】
本発明によれば、複数の部材を堅固に結合することができ、高いデザイン性を得ることが可能なライン取手を提供することができる。
【図面の簡単な説明】
【００１９】
【図１】キッチンの全体斜視図である。
【図２】図１のキャビネットの引き出しの斜視図である。
【図３】本実施形態にかかるライン取手を説明する図である。
【図４】図３（ａ）のＡ−Ａ位置での断面図である。
【図５】本実施形態のライン取手にかかる荷重を説明する図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、以下の実施形態に示す寸法、材料、その他具体的な数値などは、発明の理解を容易とするための例示に過ぎず、特に断る場合を除き、本発明を限定するものではない。
【００２１】
図１は、キッチン１００の全体斜視図である。図１に示すように、キッチン１００には、コンロキャビネットやシンクキャビネット等の複数のキャビネット１００ａや吊戸棚１００ｂなどの複数の収納庫が設けられている。
【００２２】
図２は、図１のキャビネット１００ａの引き出し１１０の斜視図である。図２に示すように、引き出し１１０は、前面を構成する前板１１２、側面を構成する側板１１４、底面を構成する底板１１６、および背面を構成する背板１１８を備える。これらのうち前板１０２の上端辺には、キャビネット１００ａを開閉するためのライン取手２００が設けられている。
【００２３】
図３は、本実施形態にかかるライン取手２００を説明する図であり、図３（ａ）および（ｂ）ともに図２の引き出し１１０のライン取手２００近傍を拡大した状態を示している。図４は、図３（ａ）のＡ−Ａ位置での断面図であり、図４（ａ）はキャップ部材２１０とベース部材２３０とを一体化する前の状態を例示していて、図４（ｂ）はキャップ部材２１０とベース部材２３０とを一体化した状態を例示している。
【００２４】
図３（ａ）および（ｂ）に示すように、本実施形態のライン取手２００は、２つの部材であるキャップ部材２１０およびベース部材２３０を含んで構成される。
【００２５】
図４（ａ）に示すように、キャップ部材２１０は、端面カバー部２１２、前垂部２１４および後垂部２１６を含んで構成される。端面カバー部２１２は、前板１１２の端面１１２ａ（図２および図３参照）を覆う面である。端面カバー部２１２の前端からは、前板１１２の前側（前面１１２ｂ）に沿うように前垂部２１４が延びている。キャップ部材２１０の後端からは、前板の後ろ側（後面１１２ｃ）に沿うように後垂部２１６が延びている。これらの端面カバー部２１２、前垂部２１４および後垂部２１６が連続していることにより、キャップ部材２１０は、一辺が開口したコの字形状となっている。
【００２６】
また端面カバー部２１２の後垂部２１６側には、かかる後垂部２１６とは反対側に向かって突出する凸部２１８が形成されている。端面カバー部２１２と後垂部２１６と凸部２１８はＴ字形状となっている。
【００２７】
ベース部材２３０は、前板取付部２３２、取手部２３４およびポケット部２３６を含んで構成される。前板取付部２３２は、前板１１２の後面１１２ｃにネジ止め固定される面である。取手部２３４は、前板取付部２３２から前板１１２の外側（図４では上方）に延びている。
【００２８】
取手部２３４は、上方延長部２３４ａ、前方延長部２３４ｂおよび手掛け部２３４ｃを含んで構成される。上方延長部２３４ａは、前板取付部２３２の上端から上方に向かって延びていて、その上端からは前方延長部２３４ｂが前方に向かって延びている。前方延長部２３４ｂの前端からは、前方に向かうにしたがって下方に傾斜する手掛け部２３４ｃが延びている。これらの上方延長部２３４ａ、前方延長部２３４ｂおよび手掛け部２３４ｃが連続していることにより、取手部２３４は逆Ｊの字形状となっている。そして、前板取付部２３２の前板側には、かかる前板取付部２３２を後方に窪ませたポケット部２３６が形成されている。
【００２９】
図４（ａ）に示すキャップ部材２１０をベース部材２３０に結合する際には、まず後垂部２１６および凸部２１８をポケット部２３６の内部に挿入する。これにより、キャップ部材２１０とベース部材２３０とを容易且つ堅固に結合し、それらを一体化することができる。したがって、キャップ部材２１０およびベース部材２３０に色や材質が異なる材料を用いることが可能となり、ライン取手２００のデザイン性を高めることができる。
【００３０】
また本実施形態では、上述したように後垂部２１６および凸部２１８がポケット部２３６の内部に挿入され、ベース部材２３０とキャップ部材２１０とが一体化された後、後垂部２１６および凸部２１８をポケット部２３６の中でかしめる。詳細には、ポケット部２３６の縁２３２ａにくさび２４０を入れて変形させると、くさび２４０によって窪み２２０が形成されるとともに、ポケット部の縁２３２ａが変形して後垂部２１６の端面２１６ａに強く当接する。このようなかしめによる結合は、接着等の方法よりも強度が得られる。したがって、ライン取手２００の耐久性を向上させることが可能となる。
【００３１】
なお、ベース部材２３０とキャップ部材２１０とを一体化する手段としては、例えば後垂部２１６と凸部２１８をポケット部２３６にスライドして挿入する構成としてもよいし、後垂部２１６と凸部２１８をポケット部２３６に圧入する構成とすることも可能である。
【００３２】
上記のベース部材２３０およびキャップ部材２１０の材料としては、アルミニウムまたはアルミニウム合金を好適に用いることができる。アルミニウムやアルミニウム合金は押出成形しやすいため、押出成形によって製造されるライン取手２００の材料として適している。
【００３３】
ここで、アルミニウムの着色は主としてアルマイト加工によって行われるが、部分的にアルマイト加工を行うことは難しい。したがって、１つのアルミニウム部材を複数の着色することは困難である。しかし、上記構成によれば、ベース部材２３０とキャップ部材２１０は別部品であるため、それぞれを異なる色に着色することができる。
【００３４】
図３（ａ）および（ｂ）では、色の明暗をハッチングの密度によって例示していて、図３（ａ）のハッチングは暗い色、図３（ｂ）のハッチングは明るい色を例示している。
【００３５】
上述したようにベース部材２３０とキャップ部材２１０を異なる色に着色可能であることにより、図３（ａ）では暗い色の前板１１２の色に合わせて、キャップ部材２１０を暗い色で着色している。一方、図３（ｂ）では、明るい色の前板１１２の色に合わせて、キャップ部材２１０を明るい色で着色している。
【００３６】
このように、引き出し１１０に複数色のラインアップがあるとき、キャップ部材２１０は前板１１２の色と合わせ、ベース部材２３０はラインアップ共通の色とすることができ、金属感の低減を図るとともに、複数のモデル間の意匠上の統一感をもたせることが可能となる。
【００３７】
またベース部材２３０およびキャップ部材２１０のうち、ベース部材２３０にはアルミニウムまたはアルミニウム合金を用い、キャップ部材２１０には樹脂（着色樹脂）を用いる構成としてもよい。これにより、アルミニウムまたはアルミニウム合金からなるベース部材２３０には着色を施し、キャップ部材２１０には着色樹脂を用いることで、キャップ部材２１０を着色する工程を省略することができる。なお、樹脂としては、例えばポリカーボネートやＡＢＳ等を例示することができるが、これに限定するものではなく、他の樹脂を用いることも可能である。
【００３８】
更に本実施形態では、アルミニウムまたアルミニウム合金を着色する方法としてアルマイト加工を例示したが、これに限定するものではなく、塗料を用いる方法等、既知の他の着色方法を採用することも可能である。このような場合においても、例えば塗料を用いる場合には、１つの部材を複数の色に着色する際にマスキング等の処理が必要となるが、本実施形態のライン取手２００によれば、そのような処理を要することなくベース部材２３０とキャップ部材２１０の色を容易に異ならせることができる。
【００３９】
また図４（ａ）および（ｂ）に示すように、本実施形態では、キャップ部材２１０の後垂部２１６の先端の端面２１６ａは、ベース部材２３０に向かうほど長くなる傾斜面となっている。これにより、上述したように後垂部２１６および凸部２１８をポケット部２３６にかしめた際に端面２１６ａが抜け止めとして機能する。したがって、後垂部２１６および凸部２１８のポケット部２３６からの外れを防ぎ、キャップ部材とベース部材２３０とをより堅固に結合させることが可能となる。
【００４０】
図５は、本実施形態のライン取手２００にかかる荷重を説明する図である。本実施形態では、図４（ａ）（ｂ）および図５に示すように、ベース部材２３０のポケット部２３６の取手部２３４側に、キャップ部材２１０の端面カバー部２１２に沿って突出したテラス部２３８を形成している。
【００４１】
端面カバー部２１２の上面にはテラス部２３８の形状にあわせた凹部であるテラス台２１２ａが形成されている。テラス台２１２ａは、端面カバー部２１２に向かってテラス部２３８から応力がかかる際に、すべることなく応力を受ける役割を有する。またテラス部２３８の表面と端面カバー部２１２の表面は面一（つらいち）に連続していて、２つの部材間での段差をなくして意匠を向上させている。
【００４２】
図５に示すように、使用者が引き出し１１０を開けるためにライン取手２００を矢印１０２ａの方向（すなわち前方）に引っ張ると、取手部２３４には前方に傾く荷重がかかる。一方、キャップ部材２１０は前板１１２に当接していて動かない状態であるため、キャップ部材２１０には、ベース部材２３０との結合部分、すなわち凸部２１８近傍を中心とした矢印１０２ｂ方向の回転モーメントが繰り返しかけられる。このとき、本実施形態のようにベース部材２３０にテラス部２３８を設けていることにより、矢印１０２ｂ方向の回転モーメントをテラス部２３８とテラス台２１２ａで受けることができ、結合部分の変形や脱落を好適に防止することが可能となる。
【００４３】
なお、本実施形態では、ライン取手２００が引き出し１１０の前板１１２の上端辺に取り付けられる構成を例示したがこれに限定するものではない。本実施形態のライン取手２００は、図１に示すように吊戸棚１００ｂの前板の下端辺にも好適に用いることが可能である。その場合は、上記実施形態において上下の表現を用いた箇所については、上下が逆転することに留意願いたい。
【００４４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４５】
本発明は、引き出しまたは扉の前板の端辺に取り付けられるライン取手に適用可能である。
【符号の説明】
【００４６】
１００…キッチン、１００ａ…キャビネット、１００ｂ…吊戸棚、１０２ａ…矢印、１０２ｂ…矢印、１１０…引き出し、１１２…前板、１１２ｂ…前面、１１２ｃ…後面、１１４…側板、１１６…底板、１１８…背板、２００…ライン取手、２１０…キャップ部材、２１２…端面カバー部、２１２ａ…テラス台、２１４…前垂部、２１６…後垂部、２１６ａ…端面、２１８…凸部、２２０…窪み、２３０…ベース部材、２３２…前板取付部、２３２ａ…縁、２３４…取手部、２３４ａ…上方延長部、２３４ｂ…前方延長部、２３４ｃ…手掛け部、２３６…ポケット部、２３８…テラス部、２４０…くさび
【図１】
0006654063.tif 000002
【図２】
0006654063.tif 000003
【図３】
0006654063.tif 000004
【図４】
0006654063.tif 000005
【図５】
0006654063.tif 000006